(57)【要約】【課題】小紙片の原稿の位置ずれを防止するとともに、使用性に優れた画像読取装置及び画像形成装置を提供する。【解決手段】装置本体に基端部２５７ｃが片持ち状に支持され、原稿をコンタクトガラス２３１側に押さえる圧板２５７と、圧板２５７のコンタクトガラス２３１に対向する面側に配置され、コンタクトガラス２３１に載置された原稿を押圧して位置決めする透明な柔軟性を有する材質からなる圧板シート２５６とを有する画像読取装置において、圧板シート２５６の一端側を圧板２５７の基端部２５７ｃ側で、圧板シート２５６の他端側を開放端部２５７ｄ側でそれぞれ支持し、開放端部２５７ｄ側で圧板シート２５６の支持状態を解除した状態で、圧板シート２５６により小紙片の原稿をコンタクトガラス２３１上に位置決めして押さえるようにした。【選択図】図６
2010176003.tif 000002
【特許請求の範囲】
【請求項１】
装置本体に基端部が片持ち状に支持され、原稿を原稿台側に押さえる圧板と、
前記圧板の原稿台に対向する面側に配置され、前記原稿台に載置された原稿を押圧して位置決めする透明な柔軟性を有する材質からなるシート形状の中間押さえシートと、
を有し、原稿台上に載置された原稿画像を光学的に読み取る画像読取装置であって、
前記中間押さえシートの一端側を前記圧板の原稿押圧面の基端部側と、前記中間押さえシートの他端側を前記圧板の原稿押圧面の開放端部側とでそれぞれ支持する支持手段と、
前記開放端部側の支持手段の支持状態を解除する支持解除手段と、
を備え、
前記支持解除手段により前記中間押さえシートを解除した状態で、当該中間押さえシートにより原稿を位置決めして押さえること
を特徴とする画像読取装置。
【請求項２】
請求項１記載の画像読取装置であって、
前記中間押さえシートの前記支持手段側にはそれぞれ取付部材が固定され、
前記取付部材の長手方向の端部に突起を備え、
前記支持手段は、前記突起を支持すること
を特徴とする画像読取装置。
【請求項３】
請求項１又は２記載の画像読取装置であって、
前記支持手段が、
前記取付部材の突起が装着される係合溝と、
当該係合溝の開放端を前記取付部材の長手方向に沿ってスライド移動して開閉され、前記支持解除手段としても機能する固定蓋と、
を備えていることを特徴とする画像読取装置。
【請求項４】
請求項３記載の画像読取装置であって、
前記固定蓋を常時閉方向に弾性付勢する弾性付勢手段を更に備えていること
を特徴とする画像読取装置。
【請求項５】
請求項４記載の画像読取装置であって、
前記固定蓋を前記圧板の表側から操作する操作手段を更に備えていること
を特徴とする画像読取装置。
【請求項６】
請求項１ないし５のいずれか１項に記載の画像読取装置であって、
前記中間押さえシートに目盛りが付されていることを特徴とする画像読取装置。
【請求項７】
請求項６記載の画像読取装置であって、
前記目盛りが圧板の読み取り面の色又は白色で印刷されていることを特徴とする画像読取装置。
【請求項８】
請求項１ないし７のいずれか１項に記載の画像読取装置を備えていることを特徴とする画像形成装置。
【発明の詳細な説明】
【技術分野】
【０００１】
本発明は原稿画像を読み取る画像読取装置、及び、この画像読取装置を備えた複写機、ファクシミリ、デジタル複合機などの画像形成装置に関する。
【背景技術】
【０００２】
画像読取装置には、フラットベッド方式とシートスルー方式の２つの原稿読み取り方式が知られている。前者はブック原稿の使用を、後者はシート原稿の使用をそれぞれ想定している。しかし、フラットベッド方式の場合にも１枚ずつシート原稿をコンタクト上において読み取る場合も多い。このシート原稿は通常Ｂ５サイズ以上を想定しているので、これより小さいサイズの原稿、例えば小さいサイズの領収書のコピーを取る場合などは、シートスルー方式ではシート搬送に支障がでる場合があり、通常、フラットベッド方式で読み取ることになる。しかし、このようなサイズの場合、原稿位置を規定することが難しいという問題がある。そこで、原稿の載置位置を規定する技術として、例えば特許文献１ないし３に記載された発明が公知である。
【０００３】
このうち特許文献１（特開２００４−０２０６６５号公報）には、原稿支持台上にセット可能な粘性層を有する透明シート製の原稿保持シートを備え、原稿の位置ずれ防止、原稿誤セットの防止、操作者の原稿セット性の向上を可能にした発明が記載されている。
【０００４】
また、特許文献２（特開平８−２３４３３０号公報）には、原稿台上に載置した原稿を圧板により押圧した状態で原稿台直下に位置する読取部により原稿画像を読み取る原稿画像読取装置において、上記原稿台に載置された原稿を押圧して位置決めをするシート形状の中間原稿押さえ圧板と、上記中間原稿押さえ圧板に貫通形成された少なくとも一つの開口部と、上記中間原稿押さえ圧板の上面を覆うために独立して開閉可能な圧板とを有し、カールしている印画紙や伝票等の小紙片の原稿でも原稿台上の読み取り位置に容易に載置が可能で位置ずれを防止するようにした発明が記載されている。
【０００５】
更に、特許文献３（特開平５−０１１３６９号公報）には、平面状の原稿載置台と、該原稿載置台上に載置された原稿の略全面を上方から押さえる押圧部材とを有し、上記押圧部材が上記原稿載置台の端部に回動可能に軸支されている画像読取装置の原稿台において、上記原稿載置台と上記押圧部材の間で、上記押圧部材の回動軸と略同軸上に軸支され、上記原稿載置台上の原稿の一部を原稿載置台上に密着させる補助押圧部材を配設し、原稿の位置ずれを防止するようにした発明が記載されている。
【発明の概要】
【発明が解決しようとする課題】
【０００６】
フラットベッド方式で原稿を読み取る場合、圧板を使用してコンタクトガラス上に原稿を載置し、コンタクトガラス上の原稿を光走査手段によって読み取るが、この形式の画像読取装置では、圧板を閉じるときに風圧が生じる。そのため、前述のような小さい原稿を読み取る際、圧板の閉じ動作により、原稿が最初に置いた場所から風圧により移動することがあった。
【０００７】
前記特許文献１記載の技術では、原稿保持シートはロールスクリーンのようにして収納可能となっており、位置ずれは解消するがコストが高くなる。また、前記特許文献２記載の技術では、カールしている印画紙や伝票などの小紙片の原稿には有効であるが、通常のシート原稿やブック原稿を読み取る場合、貫通孔に原稿の角が挟まったり、引っ掛かることがあり、使用性に改善の余地があった。
【０００８】
更に、前記特許文献３記載の技術では、原稿を押さえるために押圧部材と補助押圧部材とを設け、最初にシートの一部を補助押圧部材によって押さえ、その上から押圧部材で更に押さえるという構成を取っている。これによりシートにカールが生じていても、そのカールを補助押圧部材によって押さえ込むことにより、押圧部材によって風圧が生じてもシートの移動が生じないようにしている。補助押圧部材は複数設置されてはいるので、各々の補助押圧部を操作する必要があり、使用性に改善の余地があった。
【０００９】
そこで、本発明が解決しようとする課題は、小紙片の原稿の位置ずれを防止するとともに、使用性に優れた画像読取装置及び画像形成装置を提供することにある。
【課題を解決するための手段】
【００１０】
前記課題を解決するため、第１の手段は、装置本体に基端部が片持ち状に支持され、原稿を原稿台側に押さえる圧板と、前記圧板の原稿台に対向する面側に配置され、前記原稿台に載置された原稿を押圧して位置決めする透明な柔軟性を有する材質からなるシート形状の中間押さえシートと、を有し、原稿台上に載置された原稿画像を光学的に読み取る画像読取装置であって、前記中間押さえシートの一端側を前記圧板の原稿押圧面の基端部側と、前記中間押さえシートの他端側を前記圧板の原稿押圧面の開放端部側とでそれぞれ支持する支持手段と、前記開放端部側の支持手段の支持状態を解除する支持解除手段と、を備え、前記支持解除手段により前記中間押さえシートを解除した状態で、当該中間押さえシートにより原稿を位置決めして押さえることを特徴とする。
【００１１】
第２の手段は、第１の手段において、前記中間押さえシートの前記支持手段側にはそれぞれ取付部材が固定され、前記取付部材の長手方向の端部に突起を備え、前記支持手段は、前記突起を支持することを特徴とする。
【００１２】
第３の手段は、第１又は第２の手段において、前記支持手段が、前記取付部材の突起が装着される係合溝と、当該係合溝の開放端を前記取付部材の長手方向に沿ってスライド移動して開閉され、前記支持解除手段としても機能する固定蓋と、を備えていることを特徴とする。
【００１３】
第４の手段は、第３の手段において、前記固定蓋を常時閉方向に弾性付勢する弾性付勢手段を更に備えていることを特徴とする。
【００１４】
第５の手段は、第４の手段において、前記固定蓋を前記圧板の表側から操作する操作手段を更に備えていることを特徴とする。
【００１５】
第６の手段は、第１ないし第５のいずれかの手段において、前記中間押さえシートに目盛りが付されていることを特徴とする。
【００１６】
第７の手段は、第６の手段において、前記目盛りが圧板の読み取り面の色又は白色で印刷されていることを特徴とする。
【００１７】
第８の手段は、第１ないし第７の手段に係る画像読取装置を画像形成装置が備えていることを特徴とする。
【００１８】
なお、後述の実施形態では、圧板は符号２５７に、原稿台はコンタクトガラス２３１に、中間押さえシートは圧板シート２５４に、原稿押圧面は符号２５７ｅに、圧板の原稿押圧面の基端部は符号２５７ｃに、圧板の原稿押圧面の開放端部は符号２５７ｄに、支持手段は係合溝２５７ａ及び固定蓋２５８に、支持解除手段は固定蓋２５８に、取付部材は符号２５６に、係合突起は符号２５６ａに、弾性付勢手段は図示しないばねに、操作手段は操作レバー２５９及び操作部２５９ａに、目盛りは符号２５５ａに、画像読取装置はスキャナ１０に、画像形成装置はプリンタ１００に、それぞれ対応する。
【発明の効果】
【００１９】
本発明によれば、中間押さえシートの圧板の開放端側の支持を解除した状態で、中間押さえシートにより原稿を原稿台上に位置決めして押さえるので、小紙片の原稿の位置ずれを防止するとともに、使用性に優れた画像読取装置及び画像形成装置を提供することができる。
【図面の簡単な説明】
【００２０】
【図１】本発明の一実施形態に係る複合機能を有するデジタル複合機の全体的な構成を示す図である。
【図２】デジタル複合機のソフトウェア構成を示す図である。
【図３】スキャナ及び当該スキャナに装着されたＡＤＦからなる原稿画像読取装置の構成を示す図である。
【図４】本実施形態に係る圧板シートの構成を示す図である。
【図５】本実施形態に係る圧板の構成を示す図である。
【図６】図４の圧板シートの使用形態を示す図である。
【図７】圧板シートを圧板と一体に設けたＡＤＦで使用する際の使用状態を示す図である。
【図８】ソフトシートの他の例を示す図で、（ａ）は正面図、（ｂ）は側面図である。
【図９】固定蓋、係合溝、取付部、係合突起の関係を示す図で、（ａ）は要部拡大図、（ｂ）は断面図である。
【図１０】固定蓋の開閉機構の他の例を示す図である。
【発明を実施するための形態】
【００２１】
本発明は、フラットベッド方式で読み取る際の小サイズの原稿の位置ずれ防止に関するものであり、以下、その実施形態について、図面を参照しながら説明する。
【００２２】
図１は、本発明の一実施形態に係る複合機能を有するデジタル複合機の全体的な構成を示す図である。同図において、デジタル複合機Ａ１は、自動原稿送り装置（ＡＤＦ）３０と、操作ボード２０と、カラースキャナ１０と、カラープリンタ１００と、給紙バンク３５との各ユニットから大略構成されている。また、フルカラー複写機Ａ１のプリンタ１００には、フィニッシャ３４と両面ドライブユニット３３と大容量給紙トレイ３６が装着されている。フィニッシャ３４は、ステープラ及び作像された用紙を積載可能なトレイを備えている。
【００２３】
図２はデジタル複合機のソフトウェア構成を示す図である。同図において、デジタル複合機Ａ１のソフトウェア構成は、コピー機能２、ＦＡＸ機能３、スキャナ機能４、プリンタ機能５のアプリケーションからなるコントローラ１と画像読取制御７と画像形成制御８からなるエンジン６とＡＤＦ９から構成される。コントローラ１は操作ボード２０の表示部及び操作部も制御しており、エンジンに画像読取要求、画像形成要求を出す。ＡＤＦ３０を利用した画像読取の場合、プリンタ１００がＡＤＦ３０に対して給紙要求、読取要求、排紙要求などのコマンドを送り制御している。
【００２４】
図３は、スキャナ１０及び当該スキャナ１０に装着されたＡＤＦ３０からなる原稿画像読取装置の構成を示す図である。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２及び第１ミラー２３３は、副走査方向ｙに定速駆動される第１キャリッジに搭載されている。第１キャリッジと同方向にその１／２の速度で駆動される第２キャリッジには、第２及び第３ミラー２３４，２３５が搭載されており、第１ミラー２３３で反射した画像光は第２ミラー２３４で下方向（ｚ）に反射され、第３ミラー２３５で副走査方向ｙに反射されて、レンズ２３６により集束され、ＣＣＤ２０７に照射され、電気信号に変換される。この読み取り動作は、コンタクトガラス２３１上の手置き原稿を読み取るいわゆるフラットベッド方式の読みと動作である。なお、第１及び第２キャリッジは、符号は付していないが、一点鎖線で示してある。
【００２５】
第１及び第２キャリッジは、走行体モータ２３８を駆動源として、ｙ方向に往復駆動される。往動時は原稿を走査し、復動時はリターン動作となる。ＣＣＤ２０７は、多数の光電変換素子が主走査方向に並んだ光電変換素子アレイを備え、該アレイの画像読み取り信号を主走査ライン区分で繰り返し出力する撮像素子である。
【００２６】
自動原稿供給装置ＡＤＦ３０はスキャナ１０に装着され、原稿を読み取り位置に供給する。すなわち、ＡＤＦ３０の原稿トレイ２４１に積載された原稿は、ピックアップローラ２４２によって引き出され、レジストローラ対２４３によってスキュー補正が行われ、更にタイミングを合わせて搬送ドラム２４４と押さえローラ２４５の間に送り込まれる。搬送ドラム２４４と押さえローラ２４５の間に送り込まれた用紙は、搬送ドラム２４４に密着して読み取りガラス２４０の上を通過し、排紙ローラ２４６，２４７から、原稿トレイ２４１の下方の圧板兼用の排紙トレイ２４８上に排出される。
【００２７】
原稿は、読み取りガラス２４０を通過する際に、その直下に位置決めされて静止している照明ランプ２３２により照射され、原稿の反射光は、第１ミラー２３３以下の光学系を介してＣＣＤ２０７に照射され光電変換される。このような読み取り動作は、シートフィード方式と称されている。このとき、前述の第２キャリッジは図示最も左側の位置に位置して、第１キャリッジからの反射光を反射し、レンズ２３６を介して読み取り画像をＣＣＤ２０７の結像面に導く。なお、前記フラットベッド方式の場合と、シートスルー方式の場合においても、読み取り面とＣＣＤ２０７の結像面との距離は同一になるようにこれら各部の相対的な位置が設定されている。
【００２８】
読み取りガラス２４０と原稿始端の位置決め用のスケール２５１との間には、白基準板２３９、及び、第１キャリッジを検出する基点センサ２４９が設けられている。白基準板２３９は、照明ランプ２３２の個々の発光強度のばらつき、また主走査方向のばらつきや、ＣＣＤ２０７の画素ごとの感度ムラ等が原因で、一様な濃度の原稿を読み取ったにもかかわらず、読み取りデータがばらつく現象を補正するいわゆるシェーディング補正のために用意されている。このシェーディング補正は、まず白基準板２３９を原稿スキャン前に主走査方向１ライン分読み取り、この読み取った白基準データをメモリに記憶し、原稿画像を読み取るときは、原稿をスキャンした画素ごとに、画像データを前記メモリ上の対応する白基準データで割り算し、補正する。
【００２９】
図４は本実施形態に係る圧板シートの構成を示す図であり、図５は圧板の構成を示す図である。  
これらの図において圧板２５７は原稿圧板とも称され、コンタクトガラス２３１上に載置された原稿を上から押さえ、原稿の移動を防止するとともに、原稿の平面度を確保する機能を備えたものである。この圧板２５７のコンタクトガラス２３１に対向する面には圧板シート２５４が設置され、圧板２５７はこの圧板シート２５４を介して原稿を押さえるようになっている。
【００３０】
圧板シート２５４は図４（ａ）の正面図に示すように透明なソフトシート２５５と、このソフトシート２５５の長手方向の両辺に取り付けられた圧板２５７への取付部２５６とからなる。ソフトシート２５５はビニールのような合成樹脂からなるシートで可撓性を有し、柔軟な材質で成形されている。取付部２５６は図４（ｂ）の側面図に示すように棒状の取付部２５６の側面の長手方向に形成された溝にソフトシート２５５の端縁を挿入し、ねじで固定し、あるいは接着剤で固定してソフトシート２５５と一体となっている。取付部２５６の長手方向の両端部の軸方向には、圧板２５７への係合突起２５６ａが突設されている。
【００３１】
圧板２５７は図５（ａ）の正面図に示すように圧板２５７の下面である原稿押圧面２５７ｅに圧板シート２５４の設置部２５７ｂが設けられている。また、圧板シート２５４の取付部２５６の係合突起２５６ａに対応する前記設置部２５７ｂの四隅には、係合溝２５７ａが設けられている。前記４つの係合突起２５６ａは、前記設置部２５７ｂで前記４つの係合溝２５７ａにそれぞれ装着され、固定蓋２５８をスライド移動させて前記係合突起２５６ａの係合溝２５７ａに対する係合状態が解除しないようにしている。言い換えれば、係合溝２５７ａの前面を閉じ、その背後側で係合突起２５６ａを保持するようになっている（図９（ａ）参照）。これにより、圧板シート２５４は圧板２５７に対して一体に保持されることになる。
【００３２】
図６はこの圧板シートの使用形態を示す図である。圧板シート２５４は通常の定型サイズの原稿やブック原稿を読み取る場合には、圧板２５７と一体であり、小サイズの原稿や小紙片の伝票などを読み取るときだけ圧板シート２５４を取り外して使用する。その際、圧板２５７の開放端２５７ｄ側の原稿押圧面２５７ｅの係合突起２５６ａの係合状態を解除し、奥の基端部２５７ｃ側の係合突起２５６ａの係合状態は保持させておく。なお、係合状態の解除は、固定蓋２５８を開放することにより行われる。したがって、固定蓋２５８は係合解除（支持解除）手段としても機能する。
【００３３】
すなわち、小紙片の原稿を読み取る際には、図６に示すように原稿をコンタクトガラス２３１上にセットし、圧板シート２５４の手前側の係合突起２５６ａの係合状態を解除した後、原稿を正しい位置に調整しながら柔らかいソフトシート２５５部分を、圧板シート２５４を操作することにより上から被せ、原稿を固定する。その後、圧板２５７を閉じ、原稿の読み取りを行う。
【００３４】
図７は圧板シート２５４を圧板２５７と一体に設けたＡＤＦ３０で使用する際の使用状態を示す図である。この例の場合も、ＡＤＦ３０の底板の下面に図５に示したような圧板シート２５４の設置部２５７ｂが設けられ、圧板シート２５４は圧板２５７の場合と同様にして保持され、ＡＤＦ３０を圧板として使用する際には、圧板２５４と同様の操作で使用される。
【００３５】
このように本実施形態では、圧板２５７とは別に透明かつソフトな圧板シート２５４を併設し、領収書などの小さい原稿をコンタクトガラス２３１の上に置き、透明で柔らかい圧板シート２５４のソフトシート２５５で端から押さえながら圧板２５７を閉じるため、風圧により原稿が移動することなく希望の読み取り位置に置くことが可能となる。
【００３６】
通常の圧板シートは、圧板２５７の下面にスポンジ材のような弾性体を薄板状にして貼り付け、その表面に薄い合成樹脂製のシートを貼って圧板シート自体の厚さを弾性により原稿を押さえるようになっている。これに対し、この圧板シート２５４は、ソフトシート２５５により押さえ付けるが、弾性材が介在して厚板により押さえ付けるわけではなく、ソフトシート２５５自身の重量で原稿を保持する。そのため、ソフトシート２５５は原稿を押さえるに足る重量（厚さ）に設定されている。なお、圧板シート２５４を圧板２５７に装着したまま使用する通常のフラットベッド方式の場合を考慮して、装着部２５７ｂにスポンジ材のような弾性体を薄板状にして貼り付けて、ソフトシート２５５を背面から弾性付勢するように構成することもできる。
【００３７】
図８はソフトシート２５５の他の例を示す図で、同図（ａ）は正面図、同図（ｂ）は側面図である。この例は、図４に示した圧板シート２５４のソフトシート２５５に原点からの距離が分かるように目盛り２５５ａを印刷したものである。このようにソフトシート２５５に目盛り２５５ａを形成しておくと、その目盛り２５５ａに合わせて原稿を置くことにより、原稿を読み取り位置に正確に置くことができる。
【００３８】
その際、目盛り２５５ａは、圧板２５７又はＡＤＦ３０の読取面と同じ色、又は白色で目盛りの影がでないように印刷する。このようにして目盛り２５５ａを形成すると、原稿外の読取範囲でも圧板と同色で読み取られるため、きれいに読み取ることができる。
【００３９】
図９は固定蓋２５８、係合溝２５７ａ、取付部２５６、係合突起２５６ａの関係を示す図で、同図（ａ）は要部拡大図、同図（ｂ）は断面図である。図９（ａ）に示すように係合溝２５７ａの開口縁には固定蓋２５８が開口の長手方向に沿ってスライド自在に装着されている。この係合溝２５７ａには、図示しないばねが装着され、固定蓋２５８を常時閉方向（図示矢印Ａ方向）に弾性付勢している。そのため、係合突起２５６ａを係合溝２５７ａから離脱させる場合には、固定蓋２５８を開方向（図示矢印Ｂ方向）にスライド移動させ、係合突起２５６ａを係合溝２５７ａから取り出して手を離せば、固定蓋２５８は自動的に矢印Ａ方向に移動して、係合溝２５７ａを閉鎖する。装着するときには逆の動作を行えば、装着後、自動的に圧板シート２５４は圧板２５７に固定されることになる。これにより、操作性もしくは使用性の向上を図ることができる。
【００４０】
係合突起２５６ａの係合溝２５７ａへの装着状態は、図９（ｂ）に示すようになる。図９（ｂ）では、固定蓋２５８の背後で係合突起２５６ａが係合溝２５７ａ内に収納され保持されていることが分かる。この状態で、ソフトシート２５５は圧板２５７の原稿押圧面２５７ｅ側まで進出しており、原稿を押さえることが可能となっている。
【００４１】
図１０は、固定蓋２５８の開閉機構の他の例を示す図である。この例では、図９に示した固定蓋２５８の背後に操作レバー２５９を設け、圧板２５７の表側の面から突出した操作部２５９ａを操作することにより固定蓋２５８を開放することが可能となっている。このように構成すると、圧板シート２５４を使用するときには、圧板２５７を閉じた状態で操作部２５９ａを操作して固定蓋２５８を開放し、圧板２５７を少し上げて操作部２５９ａから手を離すと、係合突起２５６ａが係合溝２５７ａから離脱した状態で、固定蓋２５８が自動的に閉じる。この状態で、圧板２５７を開いて、圧板シート２５４の原稿を挿入し、位置決めして圧板シート２５４で押さえれば、原稿のずれを生じることなく、原稿を読み取ることができる。
【００４２】
読み取った後、圧板シート２５４を圧板２５７内に収容する際には、圧板２５４を閉じ、操作部２５９ａで固定蓋２５８の開放動作を行うと、圧板シート２５４の係合突起２５６ａは自動的に係合溝２５７ａ内に収容される。そして、操作部２５７ａから手を離すと、固定蓋２５８は自動的に閉鎖され、係合突起２５６ａは係合溝２５７ａ内に保持される。これにより、その後、通常のフラットベッド方式の読み取りが行える。
【００４３】
このように操作レバー２５９によって操作可能に構成すると、操作が簡単になり、図９に示した例よりも更に操作性もしくは使用性の向上を図ることができる。
【００４４】
なお、本発明は本実施形態に限定されるものではなく、特許請求の範囲に記載された技術思想に含まれる技術的事項の全てが対象となる。
【産業上の利用可能性】
【００４５】
本発明は、圧板を使用して読み取る画像読取装置、ＡＤＦを圧板モードで使用する画像読取装置全般に適用することができるとともに、この種の画像読取装置を備えた画像形成装置の全てに適用することができる。
【符号の説明】
【００４６】
１０  スキャナ
１００  プリンタ
２３１  コンタクトガラス
２５４  圧板シート
２５５  ソフトシート
２５５ａ  目盛り
２５６  取付部材
２５６ａ  係合突起
２５７  圧板
２５７ａ  係合溝
２５７ｂ  設置部
２５７ｃ  基端部
２５７ｄ  開放端
２５７ｅ  原稿押圧面
２５８  固定蓋
２５９  操作レバー
２５９ａ  操作部
【先行技術文献】
【特許文献】
【００４７】
【特許文献１】特開２００４−０２０６６５号公報
【特許文献２】特開平０８−２３４３３０号公報
【特許文献３】特開平０５−０１１３６９号公報
【図１】
2010176003.tif 000003
【図２】
2010176003.tif 000004
【図３】
2010176003.tif 000005
【図４】
2010176003.tif 000006
【図５】
2010176003.tif 000007
【図６】
2010176003.tif 000008
【図７】
2010176003.tif 000009
【図８】
2010176003.tif 000010
【図９】
2010176003.tif 000011
【図１０】
2010176003.tif 000012